(57)【要約】【課題】  グラスの破損を防止することができるグラス収容具を提供する。【解決手段】  グラス収容具１は、グラスを取り囲む側壁２と、グラスが載置されるグラス載置部４０を有し、グラス載置部４０が側壁２の下端よりも高い位置に保持される底板４とを備える。グラス載置部４０は、略円形の開口４０１と、開口４０１内で略同心に配置される２以上の円環状支持部４２とを有し、最も外側の円環状支持部４２が径方向に延びる３以上のビーム部４３によって開口４０１の周縁部４０２に連結され、円環状支持部４２同士は、径方向に延びる３以上のビーム部４３によって連結される。【選択図】  図３
2019031316.tif 000002
【特許請求の範囲】
【請求項１】
グラスを取り囲む側壁と、
前記グラスが載置されるグラス載置部を有し、前記グラス載置部が前記側壁の下端よりも高い位置に保持される底板とを備え、
前記グラス載置部は、略円形の開口と、前記開口内で略同心に配置される２以上の円環状支持部とを有し、最も外側の前記円環状支持部が径方向に延びる３以上のビーム部によって前記開口の周縁部に連結され、前記円環状支持部同士は、径方向に延びる３以上のビーム部によって連結されることを特徴とするグラス収容具。
【請求項２】
前記ビーム部は、前記円環状支持部の内側と外側とで周方向の位置を異ならせて形成されることを特徴とする請求項１に記載のグラス収容具。
【請求項３】
前記円環状支持部及び前記ビーム部は、いずれも厚さが幅の１／２以下であり、
前記底板には、前記開口内において前記円環状支持部及び前記ビーム部間に形成される貫通孔を取り囲むリブが形成されることを特徴とする請求項１又は２に記載のグラス収容具。
【請求項４】
前記周縁部の上面は、径方向の内側ほど高さが低い傾斜面であることを特徴とする請求項１〜３のいずれかに記載のグラス収容具。
【請求項５】
グラスをそれぞれ収容する２以上のグラス収容具が縦方向又は横方向に結合され、
前記グラス収容具が、グラスを取り囲む側壁と、前記グラスが載置されるグラス載置部が前記側壁の下端よりも高い位置に保持される底板とを有し、
前記グラス載置部が、略円形の開口と、前記開口内で略同心に配置される２以上の円環状支持部とを有し、最も外側の前記円環状支持部が径方向に延びる３以上のビーム部によって前記開口の周縁部に連結され、前記円環状支持部同士が径方向に延びる３以上のビーム部によって連結されるグラス収容システムであって、
前記側壁同士を対向させた状態で２つの前記グラス収容具を上下方向に相対的にスライドさせることにより、前記グラス収容具を互いに結合する収容具結合手段と、
前記収容具結合手段により結合された２つの前記側壁のうちの一方の上端に設けられた係合孔を介して他方の上端に係合することにより、前記２つのグラス収容具の上下方向のスライドを制限するストッパとを備えたことを特徴とするグラス収容システム。
【請求項６】
前記収容具結合手段により結合された２つの前記側壁は、挿抜方向が反対の少なくとも２つの前記ストッパによって上下方向のスライドが制限されることを特徴とする請求項５に記載のグラス収容システム。
【発明の詳細な説明】
【技術分野】
【０００１】
本発明は、グラス収容具及びグラス収容システムに係り、さらに詳しくは、グラスを収容するグラス収容具の改良に関する。
【背景技術】
【０００２】
一般に、ワイングラスは、落下し、あるいは、テーブルなどと衝突することによって極めて容易に破損する。この様なグラスの破損を防止するためには、外部からグラスに加えられる衝撃や振動を抑制する必要がある。
【発明の概要】
【発明が解決しようとする課題】
【０００３】
そこで、ワイングラスをグラスケース内に収容して保護することが考えられる。具体的には、機械的強度の高い材料を加工し、上記衝撃や振動によって歪みが生じる程度の構造的柔軟性を備えたグラスケースを用いることが考えられる。例えば、ポリプロピレン（ＰＰ）のような機械的強度の高い材料をメッシュ状の板形状に加工し、グラスケースを製作することが考えられる。特に、落下時などに大きな力が加わる底部に衝撃や振動を吸収する柔軟性を備えたグラスケースを用いることが考えられる。
【０００４】
しかしながら、グラスケースの底部に外力が加えられ、底部に歪みが生じた場合、その変形状態によっては、グラスの損傷が発生し易いという問題があった。グラスは底部に接して収容されており、特にグラスが倒立状態で収容されている場合には、最も弱い飲み口部分が底部に接している。このため、底部に対し外力が加わった場合に、グラスが破損し易いという問題があった。
【０００５】
本発明は、上記事情に鑑みてなされたものであり、グラスの破損を防止することができるグラス収容具を提供することを目的とする。特に、底部に歪みが生じるような力が加えられた場合であっても、グラスが破損するのを防止することができるグラス収容具を提供することを目的とする。
【０００６】
また、本発明は、２以上のグラス収容具を互いに結合した際に、グラス収容具同士が容易に分離するのを防止することができるグラス収容システムを提供することを目的とする。
【課題を解決するための手段】
【０００７】
本発明の第１の態様によるグラス収容具は、グラスを取り囲む側壁と、前記グラスが載置されるグラス載置部を有し、前記グラス載置部が前記側壁の下端よりも高い位置に保持される底板とを備える。前記グラス載置部は、略円形の開口と、前記開口内で略同心に配置される２以上の円環状支持部とを有し、最も外側の前記円環状支持部が径方向に延びる３以上のビーム部によって前記開口の周縁部に連結され、前記円環状支持部同士は、径方向に延びる３以上のビーム部によって連結される。
【０００８】
このグラス収容具では、底板のグラス載置部を側壁の下端よりも高い位置に保持することにより、底板が局所的に変形する際のスペースを確保することができる。また、底板に外力が加えられた場合、外力は円環状支持部及びビーム部に分散される。その際、ビーム部は、上下方向に撓み又は湾曲し易いため、径方向において相対的変位が生じ易いのに対し、円環状支持部は、ビーム部によって上下方向に変位可能に支持されるため、周方向において相対的変位が生じにくい。このため、外部からの衝撃を受けた際に、径方向におけるビーム部の相対的変位によって衝撃が吸収される一方、周方向における相対的変位が抑えられ、グラスの縁部の一部に力の集中が発生するのを抑制することができる。
【０００９】
また、グラスは、径が異なる２以上の円環状支持部によって支持されるため、様々な大きさのグラスを衝撃から保護することができる。さらに、円環状支持部は、周方向の位置が異なる３以上のビーム部によって支持されるため、グラスを安定して保持することができる。
【００１０】
本発明の第２の態様によるグラス収容具は、上記構成に加え、前記ビーム部が、前記円環状支持部の内側と外側とで周方向の位置を異ならせて形成される。この様な構成によれば、円環状支持部の内側のビーム部又は外側のビーム部の一方に生じた相対的変位によって他方のビーム部に相対的変位が生じるのが抑えられるため、衝撃や振動の吸収性能を向上させることができる。
【００１１】
本発明の第３の態様によるグラス収容具は、上記構成に加え、前記円環状支持部及び前記ビーム部が、いずれも厚さが幅の１／２以下であり、前記底板には、前記開口内において前記円環状支持部及び前記ビーム部間に形成される貫通孔を取り囲むリブが形成される。この様な構成によれば、円環状支持部及びビーム部が上下方向に撓み易くなるため、衝撃や振動の吸収性能を向上させることができる。また、貫通孔の周縁部がリブによって補強されるため、底板の剛性を向上させることができる。
【００１２】
本発明の第４の態様によるグラス収容具は、上記構成に加え、前記周縁部の上面が、径方向の内側ほど高さが低い傾斜面である。この様な構成によれば、グラスの中心がグラス載置部の中心からずれた状態で収容された場合に、グラスは、周縁部の傾斜面によってグラスの中心がグラス載置部の中心に近づくように誘導される。このため、グラスの縁部が円環状支持部から大きくずれた状態でグラスが保持されるのを抑制することができる。
【００１３】
本発明の第５の態様によるグラス収容システムは、グラスをそれぞれ収容する２以上のグラス収容具が縦方向又は横方向に結合され、前記グラス収容具が、グラスを取り囲む側壁と、前記グラスが載置されるグラス載置部が前記側壁の下端よりも高い位置に保持される底板とを有し、前記グラス載置部が、略円形の開口と、前記開口内で略同心に配置される２以上の円環状支持部とを有し、最も外側の前記円環状支持部が径方向に延びる３以上のビーム部によって前記開口の周縁部に連結され、前記円環状支持部同士が径方向に延びる３以上のビーム部によって連結されるグラス収容システムであって、前記側壁同士を対向させた状態で２つの前記グラス収容具を上下方向に相対的にスライドさせることにより、前記グラス収容具を互いに結合する収容具結合手段と、前記収容具結合手段により結合された２つの前記側壁のうちの一方の上端に設けられた係合孔を介して他方の上端に係合することにより、前記２つのグラス収容具の上下方向のスライドを制限するストッパとを備える。
【００１４】
このグラス収容システムでは、収容具結合手段によって結合された２つのグラス収容具間で上下方向のスライドがストッパによって制限されるため、２つのグラス収容具同士が強固に結合される。このため、２以上のグラス収容具を互いに結合した際に、グラス収容具同士が容易に分離するのを防止することができる。
【００１５】
本発明の第６の態様によるグラス収容システムは、上記構成に加え、前記収容具結合手段により結合された２つの前記側壁が、挿抜方向が反対の少なくとも２つの前記ストッパによって上下方向のスライドが制限される。この様な構成によれば、収容具結合手段によって結合された２つの側壁に係合している複数のストッパが落下時の衝撃や振動によって同時に外れることを抑制することができる。
【発明の効果】
【００１６】
本発明によるグラス収容具では、容易に破損しない状態でグラスを保持することができる。特に、グラスの縁部に対する力の集中が抑制されるため、グラス収容具の底部に歪みが生じるような力が加えられた場合であっても、グラスが破損するのを防止することができる。
【００１７】
また、本発明によるグラス収容システムでは、２つのグラス収容具同士が強固に結合されるため、２以上のグラス収容具を互いに結合した際に、グラス収容具同士が容易に分離するのを防止することができる。
【図面の簡単な説明】
【００１８】
【図１】本発明の実施の形態によるグラス収容具１の一構成例を示した斜視図である。
【図２】図１のグラス収容具１の広壁面、狭壁面及び底面を示した図である。
【図３】図２のグラス収容具１をＡ−Ａ切断線により切断した場合の切断面の一部を拡大して示した断面図である。
【図４】グラス収容具１の側壁２を構成する側壁部材２０を展開して示した図である。
【図５】グラス収容具１の底板４を示した図である。
【図６】グラス収容具１の仕切板３を示した図である。
【図７】２つのグラス収容具１を互いに結合する際に使用されるストッパ６を示した図である。
【図８】ストッパ６を示した斜視図である。
【図９】２つのグラス収容具１同士を結合する際の様子を示した図である。
【図１０】２つのグラス収容具１同士を結合したグラス収容システムを示した斜視図である。
【図１１】グラス収容具１内に収納されたグラス７を示した図である。
【発明を実施するための形態】
【００１９】
＜グラス収容具１＞
図１は、本発明の実施の形態によるグラス収容具１の一構成例を示した斜視図であり、グラス収容具１を斜め上方から見た様子が示されている。図２は、図１のグラス収容具１を示した図であり、（ａ）には、グラス収容具１の広壁面２Ｗが示され、（ｂ）には、狭壁面２Ｎが示され、（ｃ）には、底面２Ｂが示されている。図３は、図２のグラス収容具１をＡ−Ａ切断線により切断した場合の切断面の一部を拡大して示した断面図である。
【００２０】
グラス収容具１は、グラスを収容する樹脂製のケースであり、グラスの保管、運搬及び洗浄に使用される。グラスは、ガラス製の飲料用食器である。グラス収容具１には、例えば、ワイングラスが収納される。
【００２１】
ワイングラスは、ボウルと呼ばれる本体部が、細長いステムと呼ばれる脚部を介して、円板状のプレートと呼ばれる台部に連結された構造を有する。本体部の縁部は、飲み口として使用されるため、薄く形成されており、破損し易いという性質を有している。
【００２２】
ワイングラスを使用している時を除いて、ワイングラスをグラス収容具１に収納しておくことにより、ワイングラスの破損を防止することができる。例えば、ワイングラスを収容したグラス収容具１を洗浄機に投入すれば、洗浄中におけるワイングラスの破損を防止することができる。また、洗浄後、グラス収容具１に収納した状態で保管することにより、保管中におけるワイングラスの破損を防止することができる。さらに、グラス収容具１に収納した状態で運搬することにより、給仕中におけるワイングラスの破損を防止することができる。ワイングラスは、例えば、本体部の開口を下方に向けた状態でグラス収容具１内に収納される。
【００２３】
このグラス収容具１は、グラスを取り囲む側壁２と、グラスが載置される底板４と、側壁２によって取り囲まれた直方体形状の内部空間を２つのグラス収容室に分割する仕切板３とにより構成され、２つのグラスを同時に収納することができる。また、グラス収容具１は、上面に開口を有し、当該開口を介してグラスを収納することができる。側壁２、底板４及び仕切板３には、多数の貫通孔５が設けられており、グラスの洗浄時に洗浄液を通過させるとともに、グラスの水切り及び乾燥に適している。
【００２４】
側壁２には、２以上のグラス収容具１を水平面内において縦方向又は横方向に結合するための収容具結合部２１と、２以上のグラス収容具１を上下方向に積み重ねるための係合凸部２３ａ及び係合凹部２３ｂと、後述するストッパ６を係合させる係合孔２４及び２５とが設けられている。
【００２５】
側壁２の外側の壁面には、水平方向の長さが長い広壁面２Ｗと、水平方向の長さが短い狭壁面２Ｎとがある。ここでは、広壁面２Ｗが延びる水平方向を縦方向と呼び、狭壁面２Ｎが延びる水平方向を横方向と呼ぶことにする。広壁面２Ｗの縦方向の長さは、狭壁面２Ｎの横方向の長さの略２倍である。
【００２６】
収容具結合部２１は、側壁２同士を対向させた状態で２つのグラス収容具１を上下方向に相対的にスライドさせることにより、グラス収容具１を互いに結合する結合手段である。この収容具結合部２１は、上下方向に延びるレール部２１ａ及び係合溝２１ｂと、側壁２の下端付近に設けられた突起部２１ｃ及び係合孔２１ｄとにより構成される。一方のグラス収容具１のレール部２１ａ及び突起部２１ｃは、他方のグラス収容具１の係合溝２１ｂ及び係合孔２１ｄにそれぞれ収容され、２つのグラス収容具１の間において、縦方向及び横方向の相対的な移動が制限される。
【００２７】
レール部２１ａ及び突起部２１ｃは、壁面から突出し、水平面による切断面の形状がＬ字状の２つの爪からなる。係合溝２１ｂ及び係合孔２１ｄは、壁面を凹ませた凹部からなり、凹部の水平面による切断面の形状は、Ｔ字状である。広壁面２Ｗには、２つのレール部２１ａと２つの係合溝２１ｂとが設けられ、レール部２１ａ及び係合溝２１ｂが縦方向に交互に配列されている。一方、狭壁面２Ｎには、１つのレール部２１ａと１つの係合溝２１ｂとが設けられている。突起部２１ｃは、レール部２１ａに対応して設けられ、係合孔２１ｄは、係合溝２１ｂに対応して設けられている。収容具結合部２１を他のグラス収容具１の収容具結合部２１と係合させることにより、広壁２Ｗ同士、狭壁２Ｎ同士又は広壁２Ｗと狭壁２Ｎとを連結することができる。
【００２８】
係合凹部２３ｂは、他のグラス収容具１の係合凸部２３ａを収容する結合手段であり、側壁２の下端に設けられている。一方、係合凸部２３ａは、他のグラス収容具１の係合凹部２３ｂに挿入する結合手段であり、側壁２の上端面から上方に向かって突出している。この係合凸部２３ａは、グラス収容具１の上部開口面２Ｕの４つの角部にそれぞれ形成されている。一方、係合凹部２３ｂは、底面において係合凸部２３ａと対向する位置にそれぞれ形成されている。
【００２９】
一方のグラス収容具１の底面２Ｂを他方のグラス収容具１の上部開口面２Ｕと対向させた状態で当該２つのグラス収容具１を上下方向に積み重ねることができる。積み重ねられた２つのグラス収容具１は、４つの係合凸部２３ａが４つの係合凹部２３ｂとそれぞれ係合することにより、縦方向及び横方向の相対的な移動が制限される。
【００３０】
係合孔２４は、ストッパを水平方向に挿通させる貫通孔であり、側壁２の上端に設けられている。この係合孔２４は、係合溝２１ｂの上方に配置されている。係合孔２５は、ストッパの先端部を収容するための水平方向に凹んだ凹部であり、側壁２の上端に設けられている。この係合孔２５は、レール部２１ａの上方に配置されている。
【００３１】
底板４は、グラスがそれぞれ載置される２つのグラス載置部４０と、底板４の外縁に沿って延び、グラス載置部４０を取り囲むフレーム部４１とにより構成される。グラス載置部４０は、略円形の領域からなり、局所的に変形する際のスペースを確保するために、フレーム部４１によって側壁２の下端よりも高い位置に保持されている。つまり、グラス載置部４０の下面は、側壁２の下端よりも上側に配置される。このグラス載置部４０は、略円形の開口４０１と、開口４０１内で略同心に配置される２以上の円環状支持部４２と、開口４０１内で径方向に延びるビーム部４３とを有する。また、グラス載置部４０は、開口４０１を取り囲む周縁部４０２を含む。
【００３２】
円環状支持部４２は、グラスの縁部を支持するための周方向に延びるリング部材である。この底板４では、径が異なる２つの円環状支持部４２がグラス載置部４０と同心に配置されている。このうち、最も外側の円環状支持部４２は、径方向に延びる３以上のビーム部４３によって開口４０１の周縁部４０２に連結される。また、２つの円環状支持部４２同士も、径方向に延びる３以上のビーム部４３によって連結される。
【００３３】
具体的には、内側の円環状支持部４２と外側の円環状支持部４２とが、周方向の位置の異なる３つのビーム部４３によって連結され、外側の円環状支持部４２と周縁部４０２とが、周方向の位置の異なる６つのビーム部４３によって連結されている。つまり、円環状支持部４２は、外側のビーム部４３の数は、より内側のビーム部４３の数よりも多くなる様に配置されている。
【００３４】
また、上下方向の変位量が径方向の位置によって異なることを径方向における相対的変位と呼ぶと、この径方向における相対的変位が直接に伝わるのを防ぐために、ビーム部４３は、円環状支持部４２の内側と外側とで周方向の位置を異ならせて形成されている。各ビーム部４３は、周方向に概ね等間隔に配置されている。円環状支持部４２は、例えば、グラスの縁部に対向するサイズからなる。
【００３５】
グラス載置部４０は、側壁２の下端よりも高い位置に保持され、局所的に変形する際のスペースが確保される。このため、落下時の衝撃や振動を吸収する性能を確保することができる。また、落下時の衝撃や振動が直接、グラス載置部４０に付加されるのを抑制することができる。
【００３６】
底板４に外力が加えられた場合、外力は円環状支持部４２及びビーム部４３に分散される。その際、ビーム部４３は、上下方向に撓み又は湾曲し易いため、上下方向の変位が径方向において局所的に大きくなり易い。つまり、ビーム部４３は、径方向において相対的変位が生じ易い。これに対し、円環状支持部４２は、ビーム部４３によって上下方向に変位可能に支持されるため、上下方向の変位が周方向において局所的に大きくなりにくい。つまり、円環状支持部４２は、周方向において相対的変位が生じにくい。このため、外部からの衝撃を受けた際に、径方向におけるビーム部４３の相対的変位によって衝撃が吸収される一方、周方向における相対的変位が抑えられ、グラスの縁部の一部に力の集中が発生するのを抑制することができる。
【００３７】
また、グラスは、径が異なる２以上の円環状支持部４２によって支持されるため、様々な大きさのグラスを衝撃から保護することができる。さらに、円環状支持部４２は、周方向の位置が異なる３以上のビーム部４３によって支持されるため、グラスを安定して保持することができる。
【００３８】
円環状支持部４２及びビーム部４３は、例えば、いずれも厚さが幅の１／２以下である。厚さを幅よりも薄くすることにより、円環状支持部４２及びビーム部４３が上下方向に撓み易くなるため、底板４の衝撃や振動に対する吸収性能を向上させることができる。
【００３９】
底板４には、内側の円環状支持部４２によって形成される貫通孔５と、内側の円環状支持部４２、外側の円環状支持部４２及びビーム部４３によって形成される貫通孔５と、外側の円環状支持部４２及び周縁部４０２とビーム部４３によって形成される貫通孔５とがある。底板４には、これらの貫通孔５を取り囲むリブ５１が形成されている。リブ５１は、貫通孔５の周縁に沿って延びる補強部である。
【００４０】
周縁部４０２は、径方向の内側に行くほど高さが低くなるような傾斜面４０３を有する。この傾斜面４０３は、グラス載置部４０の上面の一部であり、開口４０１の周縁に沿って延び、開口４０１を取り囲んでいる。グラスの中心がグラス載置部４０の中心からずれた状態で収容された場合に、グラスは、周縁部４０２の傾斜面４０３によってグラスの中心がグラス載置部４０の中心に近づくように誘導される。
【００４１】
仕切板３は、２つのグラス収容室を隔てる隔壁であり、上下方向に延びる形状からなり、狭壁と対向させて配置される。各グラス収容室は、横方向において互いに対向する２つの広壁と、縦方向において互いに対向する狭壁及び仕切板３とにより囲まれた内部空間である。
【００４２】
＜側壁部材２０＞
図４は、グラス収容具１の側壁２を構成する側壁部材２０を展開して示した図であり、（ａ）には、側壁部材２０の上端面が示され、（ｂ）には、内側の壁面が示され、（ｃ）には、側端面が示されている。図中では、側壁部材２０の外形と貫通孔５の輪郭とが太線により描画されている。
【００４３】
側壁部材２０は、１つの広壁と１つの狭壁とが互いに連結された平板形状からなり、Ｌ字状に折り曲げた状態で使用される。側壁部材２０は、上下方向に延びる屈曲線Ｌに沿って折り曲げられる。側壁２は、折り曲げられた２つの側壁部材２０を結合させることによって形成される。屈曲線Ｌを挟んで一対の傾斜面が設けられており、側壁部材２０を直角に折り曲げることにより、一対の傾斜面が互いに会合する。これらの傾斜面には、突起部２０ｃ及び係合孔２０ｄが設けられ、一方の傾斜面の突起部２０ｃが、他方の傾斜面の係合孔２０ｄと嵌合することにより、側壁部材２０の折り曲げ状態が容易に解除されないように構成される。
【００４４】
この側壁部材２０は、多数の貫通孔５による網目構造の部材からなり、側壁部材２０同士を結合するための結合部２０ａ及び２０ｂと、仕切板３を係合させるためのレール部２０３と、底板４を係合させる底板係合部２０４と、レール部２１ａ、係合溝２１ｂ、突起部２１ｃ、係合孔２１ｄ、係合凸部２３ａ、係合凹部２３ｂ、係合孔２４及び２５とが設けられている。
【００４５】
側壁部材２０は、レール部２１ａ及び係合溝２１ｂが形成された上部領域２６と、上部領域２６よりも下側の下部領域２７とにより構成され、下部領域２７には、上部領域２６よりも多く貫通孔５が形成されている。
【００４６】
結合部２０ａは、他の側壁部材２０の結合部２０ｂに係合させる凸部であり、側壁部材２０の側端面から突出している。結合部２０ｂは、他の側壁部材２０の結合部２０ａを収容し、結合部２０ａの爪を係合させる凹部である。結合部２０ａ及び２０ｂは、２つの側壁部材２０を水平方向に相対的に移動させることによって結合される。結合部２０ａ及び２０ｂは、側壁部材２０の上端付近と下端付近とにそれぞれ設けられている。
【００４７】
レール部２０３は、上下方向に延びる係合凸部であり、側壁部材２０の内側の壁面から突出し、水平面による切断面の形状がＬ字状の２つの爪からなる。このレール部２０３は、広壁の幅方向の中央に設けられ、仕切板３の側端部と係合する。また、レール部２０３は、上部領域２６の上側部分に設けられている。底板係合部２０４は、底板４が下方に抜け落ちないように係止するための係止部であり、側壁部材２０の下端に設けられている。
【００４８】
リブ５１は、側壁部材２０の外側の壁面にのみ、貫通孔５を取り囲むように形成され、内側の壁面にはない。この様なリブ５１により、側壁部材２０の強度が多数の貫通孔５によって低下するのを抑制しつつ、内側の壁面を平滑化することができる。
【００４９】
レール部２１ａ及び係合溝２１ｂは、側壁部材２０の上部領域２６にのみ設けられ、下部領域２７にはない。このため、多数の貫通孔５による開口の総面積は、上部領域２６よりも下部領域２７の方が大きくなっている。ワイングラスの洗浄時に、飲み口を下方に向けた状態でワイングラスを収納すると、側壁２の下部領域２７はワイングラスの本体部に対向する。このため、下部領域２７内の貫通孔５を介して洗浄液をワイングラスの本体部の全体に均一にかけることができる。
【００５０】
＜底板４＞
図５は、グラス収容具１の底板４を示した図であり、（ａ）には、底板４の下面が示され、（ｂ）には、側端面が示されている。図中では、底板４の外形と貫通孔５の輪郭とが太線により描画されている。この底板４には、底板４を側壁２に取り付けた際に底板４の上方への移動を制限するための複数の突起４４と、仕切板３を係合させる係合孔４５とが設けられている。
【００５１】
突起４４は、フレーム部４１の外側の壁面から突出する形状からなり、底板４の縦方向の両側端面と横方向の両側端面とにそれぞれ設けられている。係合孔４５は、横方向に延び、上方に向かって開口する差し込み口であり、縦方向の中央に形成されている。
【００５２】
リブ５１は、底板４の下面にのみ、貫通孔５を取り囲むように形成され、上面にはない。この様なリブ５１により、底板４の強度が多数の貫通孔５によって低下するのを抑制しつつ、内側の面を平滑化することができる。
【００５３】
＜仕切板３＞
図６は、グラス収容具１の仕切板３を示した図であり、（ａ）には、仕切板３の上端面が示され、（ｂ）には、壁面が示され、（ｃ）には、側端面が示されている。図中では、仕切板３の外形と貫通孔５の輪郭とが太線により描画されている。仕切板３は、上下方向に延びる平板であり、中央部の幅が他の部位よりも狭くなっている。
【００５４】
この仕切板３には、側壁２に係合させる係合凸部３１と、底板４に係合させる係合凸部３２と、側壁２のレール部２０３と係合するフレーム部３３とが設けられている。係合凸部３１は、側壁２の上端に係合させることにより、仕切板３の上方への移動を制限するストッパであり、仕切板３の上端に設けられている。この係合凸部３１は、仕切板３の両側端面にそれぞれ設けられている。
【００５５】
係合凸部３２は、仕切板３の下端面から突出する形状からなり、底板４の係合孔４５に挿入することにより、仕切板３の水平方向の移動が制限される。フレーム部３３は、上下方向に延び、仕切板３の両側端部にそれぞれ形成される。
【００５６】
リブ５１は、貫通孔５を取り囲むように仕切板３の両壁面に形成され、他方の壁面にはない。この様なリブ５１により、仕切板３の強度が多数の貫通孔５によって低下するのを抑制することができる。
【００５７】
上述した側壁部材２０、底板４及び仕切板３は、剛性が高く、メッシュ状の板状体への成形性に優れた樹脂材料、例えば、耐熱性を有するポリプロピレン（ＰＰ）によって形成される。
【００５８】
グラス収容具１を２つの側壁部材２０と底板４及び仕切板３とから組み立てる際の組立方法は、以下の通りである。まず、２つの側壁部材２０をそれぞれ平坦な状態にして、一方の側壁部材２０の結合部２０ａを他方の側壁部材２０の結合部２０ｂ内に挿入し、反対側も他方の側壁部材２０の結合部２０ａを一方の側壁部材２０の結合部２０ｂ内に挿入する。次に、両側壁部材２０をＬ字状に折り曲げながら、傾斜面の突起部２０ｃと係合孔２０ｄを係合することにより、これらの側壁部材２０が互いに結合し、側壁２が完成する。
【００５９】
次に、側壁２の上部開口を介して底板４を下方に移動させ、側壁２の底板係合部２０４に係止させることにより、底板４が側壁２の下端に固定される。次に、狭壁に対向させた状態で、側壁２の上部開口を介して仕切板３を下方に移動させながらフレーム部３３を側壁２のレール部２０３と係合させ、係合凸部３２を底板４の係合孔４５に挿入することにより、仕切板３が側壁２及び底板４に固定され、グラス収容具１が完成する。
【００６０】
＜ストッパ６＞
図７及び図８は、２つのグラス収容具１同士を結合する際に使用されるストッパ６を示した図である。図７（ａ）には、ストッパ６の上面が示され、図７（ｂ）には、側端面が示され、図７（ｃ）には、挿抜方向の後端面が示されている。また、図８（ａ）には、使用前のストッパ６の斜視図が示され、図８（ｂ）には、使用中のストッパ６の斜視図が示されている。
【００６１】
ストッパ６は、収容具結合部２１により結合された２つの側壁２のうちの一方の上端に設けられた係合孔２４を通り、他方の上端に設けられた係合孔２５に挿入されることにより、２つのグラス収容具１の上下方向のスライドを制限する係合部材である。
【００６２】
このストッパ６は、平板状の挿入部６１と、挿入部６１に設けられた切込み６２と、挿入部６１の後端に設けられた係止部６３と、係止部６３から後方に延びる抜け防止部６４とにより構成される。
【００６３】
挿入部６１は、側壁２の係合孔２４，２５に挿入される。切込み６２は、ストッパ６の挿抜方向、すなわち、図７（ａ）の上下方向に延びる形状からなる。一方、係合孔２５内には、ストッパ６の挿抜方向に延びる挟持板２５Ｐが設けられている。このため、挿入部６１が係合孔２５内に挿入されると、切込み６２が挟持板２５Ｐを挟み込み、ストッパ６が係合孔２５側の側壁２に係合される。このとき、係止部６３は、係合孔２４側の側壁２に当接している。このため、ストッパ６によって２つのグラス収容具１が連結され、上下方向のスライドが制限される。
【００６４】
抜け防止部６４は、平板状の延伸部６４０と、その先端に設けられた３本のピン６４１〜６４３とにより構成される。延伸部６４０は、容易に折り曲げ可能な薄い形状からなり、延伸部６４０を折り曲げれば、３本のピン６４１〜６４３が、それぞれ挿入部６１と交差するように配置される。このとき、両端のピン６４１及び６４３は、挿入部６１を挟み込むように挿入部６１の両脇に配置され、中央のピン６４２は、切り込み６２内に挿入される。両端のピン６４１及び６４３は、挿入部６１を挟むことによって切込み６２が開くのを抑制する係止ピンであり、ストッパ６の脱落を防止している。中央のピン６４２は、挿入部６１を挟み込むように両端のピン６４１及び６４３を配置するための位置決めピンであり、省略することもできる。また、両端のピン６４１及び６４３は、挿入部６１と対向する面に係合突起が設けられ、挿入部６１を挟み込んだ状態が容易に解除されないように構成されている。
【００６５】
２以上のグラス収容具１を縦方向又は横方向に結合する際の結合方法は、以下の通りである。まず、側壁２同士を対向させた状態で、２つのグラス収容具１を上下方向に相対的にスライドさせ、一方の側壁２のレール部２１ａを他方の側壁２の係合溝２１ｂに収容させることにより、２つのグラス収容具１は、側壁２の上部領域２６において互いに結合される。この状態において、一方の側壁２の突起部２１ｃが他方の側壁２の係合孔２１ｄに収容されることにより、２つのグラス収容具１は、側壁２の下端付近においても互いに結合される。
【００６６】
次に、収容具結合部２１により結合された２つの側壁２のうちの一方の側壁２の上端に設けられた係合孔２４を介して、ストッパ６を他方の側壁２の上端の係合孔２５に係合させることにより、２つのグラス収容具１は、上下方向のスライドが制限される。さらに、さらに抜け防止部６４の延伸部６４０を屈曲させ、ピン６４１〜６４３を差し込むことにより、ストッパの脱落を防止すれば、結合作業が完了する。
【００６７】
このグラス収容具１では、広壁の幅が狭壁の幅の２倍程度であり、１つの広壁に他の２つのグラス収容具１を隙間なく結合させることができる。つまり、２つのグラス収容具１同士をＬ字状に結合させることができる。このため、２以上のグラス収容具１を縦方向又は横方向に結合する場合に、結合の自由度が高い。例えば、４つのグラス収容具１を上方から見て正方形状に結合させることができる。
【００６８】
図９は、２つのグラス収容具１同士を結合する際の様子を示した図である。図１０は、２つのグラス収容具１を連結したグラス収容システムを示した斜視図である。図９（ａ）には、側壁２同士を対向させた状態で２つのグラス収容具１を上下方向に相対的にスライドさせることにより、グラス収容具１を互いに結合する様子が示されている。同じ姿勢の２つのグラス収容具１を横方向に結合する場合、広壁同士を対向させた状態で、２つのグラス収容具１を上下方向に相対的にスライドさせながら、一方の広壁に設けられたレール部２１ａを他方の広壁に設けられた係合溝２１ｂに収容させればよい。
【００６９】
図９（ｂ）には、ストッパ６を挿入することによって、２つの側壁２の上下方向のスライドが制限される様子が示されている。収容具結合部２１により結合された２つの側壁２は、挿抜方向が反対の少なくとも２つのストッパ６によって上下方向のスライドが制限される。広壁同士は、レール部２１ａ及び係合溝２１ｂによって縦方向の４つの部位で結合され、４つのストッパ６によって上下方向の移動が制限される。ストッパ６は、係合孔２４の内側から水平に挿入され、抜け防止部６４を屈曲させることによりストッパ６の脱落を抑制することができる。
【００７０】
レール部２１ａ及び係合溝２１ｂによって結合された２つのグラス収容具１間で上下方向のスライドがストッパ６によって制限されるため、２つのグラス収容具１同士が強固に結合される。このため、２以上のグラス収容具１を互いに結合した際に、グラス収容具１同士が容易に分離するのを防止することができる。
【００７１】
また、レール部２１ａ及び係合溝２１ｂによって結合された２つの側壁２に係合させる複数のストッパ６について、挿抜方向を異ならせることにより、落下時の衝撃や振動によって同時に外れることを抑制することができる。
【００７２】
図１１は、グラス収容具１内に収納されたグラス７を示した図であり、広壁面２Ｗに平行な平面によってグラス収容具１を切断してグラス７が示されている。このグラス７は、ワイングラスであり、本体部７１、脚部７２及び台部７３により構成される。グラス収容具１には、本体部７１の飲み口（縁部）を下方に向けた状態、すなわち、倒立状態でグラス７が収納されている。本体部７１の飲み口は、円環状である。
【００７３】
グラス７は、底板４のグラス載置部４０上に載置される。このグラス載置部４０は、側壁２の下端よりも高い位置に保持されるため、局所的に変形する際のスペースを確保することができる。従って、グラス収容具１の落下などによって底板４に外力が加えられた場合に、グラス載置部４０の局所的な変形によって外力を吸収させることができる。また、ビーム部４３は径方向において相対的変位が生じ易いのに対し、円環状支持部４２は周方向において相対的変位が生じにくい。このため、径方向におけるビーム部４３の相対的変位によって衝撃や振動が吸収される一方、周方向における相対的変位が抑えられ、本体部７１の飲み口の一部に力の集中が発生するのを抑制することができる。
【００７４】
グラス載置部４０の周縁部に傾斜面４０３を設けることにより、グラス７の中心がグラス載置部４０の中心からずれた状態で収容された場合に、グラス７は、傾斜面４０３によってグラス７の中心がグラス載置部４０の中心に近づくように誘導される。このため、本体部７１の飲み口が円環状支持部４２から大きくずれた状態でグラス７が保持されるのを抑制することができる。また、収容時の状態にかかわらず側壁２とグラス７との距離が確保されるため、グラス７を落下時の衝撃や振動から保護する性能を向上させることができる。
【００７５】
多数の貫通孔５による開口の総面積は、側壁２の上部領域２６よりも下部領域２７の方が大きく、かつ、下部領域２７は、グラス７の本体部７１と対向している。このため、グラス７の洗浄時に、下部領域２７内の貫通孔５を介して洗浄液を本体部７１の全体に均一にかけることができ、グラス７の洗浄性を向上させることができる。
【００７６】
なお、グラス収容具１には、本体部７１の飲み口（縁部）を上方に向けた状態でグラス７を収納してもよい。飲み口（縁部）を上方に向けて収納することにより、運搬時などに飲み残しがこぼれるのを防止することができる。
【００７７】
本実施の形態によるグラス収容具１は、容易に破損しない状態でグラス７を保持することができる。特に、底板４が局所的に変形する際のスペースが確保されるため、落下時の衝撃や振動を吸収する性能を確保することができる。また、グラス７の縁部に対する力の集中が抑制されるため、グラス７の縁部が損傷するのを防止することができる。
【００７８】
また、２つのグラス収容具１同士がレール部２１ａ、係合溝２１ｂ及びストッパ６によって強固に結合されるため、２以上のグラス収容具１を互いに結合した際に、グラス収容具１同士が容易に分離するのを防止することができる。
【００７９】
なお、本実施の形態では、ワイングラスがグラス収容具１に収納される場合の例について説明したが、本発明は、ワイングラス以外のグラス、例えば、シャンパングラスやカクテルグラスを収納する収容具にも適用可能である。
【００８０】
また、本実施の形態では、２つのグラス７が１つのグラス収容具１に収納される場合の例について説明したが、本発明は、グラス収容具１の構成をこれに限定するものではない。例えば、１つのグラス収容具１に対し、１つのグラス７を収納し、あるいは、３以上のグラス７を収納するものであってもよい。
【００８１】
また、本実施の形態では、２つの円環状支持部４２がグラス載置部４０の開口４０１内に配置される場合の例について説明したが、本発明は、グラス載置部４０の構成をこれに限定するものではない。例えば、３以上の円環状支持部４２が開口４０１内に配置されるような構成であってもよい。
【符号の説明】
【００８２】
１      グラス収容具
２      側壁
２０    側壁部材
２０ａ，２０ｂ  結合部
２０ｃ  突起部
２０ｄ  係合孔
２０３  レール部
２０４  底板係合部
２１    収容具結合部
２１ａ  レール部
２１ｂ  係合溝
２１ｃ  突起部
２１ｄ  係合孔
２３ｂ    係合凹部
２３ａ    係合凸部
２４，２５  係合孔
２６    上部領域
２７    下部領域
３      仕切板
４      底板
４０    グラス載置部
４０１  開口
４０２  周縁部
４０３  傾斜面
４１    フレーム部
４２    円環状支持部
４３    ビーム部
５      貫通孔
５１    リブ
６      ストッパ
６１    挿入部
６２    切込み部
６３    係止部
６４    抜け防止部
７      グラス
【図１】
2019031316.tif 000003
【図２】
2019031316.tif 000004
【図３】
2019031316.tif 000005
【図４】
2019031316.tif 000006
【図５】
2019031316.tif 000007
【図６】
2019031316.tif 000008
【図７】
2019031316.tif 000009
【図８】
2019031316.tif 000010
【図９】
2019031316.tif 000011
【図１０】
2019031316.tif 000012
【図１１】
2019031316.tif 000013